(57)【要約】      （修正有）【課題】通気性の開閉部材を備え,風圧による離脱を防止した建物の出入口部開閉装置を提供する。【解決手段】通気性があって、巻き取り自在な柔軟性を有する帯状に形成された開閉部材４と、通気性の開閉部材４の側縁部を案内する溝部１２ａを有する左右案内部材１２と、通気性の開閉部材４の下側縁部と上側縁部との間に取り付けられ、通気性の開閉部材４の右側縁部と通気性の開閉部材４の左側縁部との間に設けられた中間部材２１等で構成し、この中間部材２１の右側端部を折り返した右側端部中間折り返し部２１ａと、右側案内部材１２に設けられ、右側案内部材１２の長手方向に沿うと共に右側案内部材１２の溝部１２ａに向かうように折り返された第１の折り返し部Ａと、この第１の折り返し部Ａの端部を右側端部中間折り返し部２１ａの内方に、右側端部中間折り返し部２１ａの端部を第１の折り返し部Ａの溝部に、それぞれ臨ませた。（左側も同様）【選択図】図５
2006028940.tif 000002
【特許請求の範囲】
【請求項１】
通気性があって、巻き取り自在な柔軟性を有する帯状に形成され、建物の出入口部を開閉する通気性の開閉部材と、
前記建物の出入口部の上方に取り付けられ、前記通気性の開閉部材を付着し、前記通気性の開閉部材を巻き取る回転体と、
この回転体を回転させる回転手段と、
前記建物の内側から見て前記建物の出入口部の右側に取り付けられ、前記通気性の開閉部材の右側縁部を案内する溝部を有する右側案内部材と、
前記建物の内側から見て前記建物の出入口部の左側に取り付けられ、前記通気性の開閉部材の左側縁部を案内する溝部を有する左側案内部材と、
前記通気性の開閉部材の下側縁部と上側縁部との間に取り付けられ、前記通気性の開閉部材の右側縁部と前記通気性の開閉部材の左側縁部との間に設けられた中間部材と、
この中間部材の右側端部を折り返した右側端部中間折り返し部と、
右側案内部材に設けられ、前記右側案内部材の長手方向に沿うと共に前記右側案内部材の溝部に向かうように折り返された第１の折り返し部と、
この第１の折り返し部の端部を前記右側端部中間折り返し部の内方に、前記右側端部中間折り返し部の端部を前記第１の折り返し部の内方に、それぞれ臨ませ、
前記中間部材の左側端部を折り返した左側端部中間折り返し部と、
左側案内部材に設けられ、前記左側案内部材の長手方向に沿うと共に前記左側案内部材の溝部に向かうように折り返された第２の折り返し部と、
この第２の折り返し部の端部を前記左側端部中間折り返し部の内方に、前記左側端部中間折り返し部の端部を前記第２の折り返し部の内方に、それぞれ臨ませている
ことを特徴とする建物の出入口部開閉装置。
【請求項２】
通気性があって、巻き取り自在な柔軟性を有する帯状に形成され、建物の出入口部を開閉する通気性の開閉部材と、
前記建物の出入口部の上方に取り付けられ、前記通気性の開閉部材を付着し、前記通気性の開閉部材を巻き取る回転体と、
この回転体を回転させる回転手段と、
前記建物の内側から見て前記建物の出入口部の右側に取り付けられ、前記通気性の開閉部材の右側縁部を案内する溝部を有する右側案内部材と、
前記建物の内側から見て前記建物の出入口部の左側に取り付けられ、前記通気性の開閉部材の左側縁部を案内する溝部を有する左側案内部材と、
前記通気性の開閉部材の下側縁部に取り付けられ、前記通気性の開閉部材の右側縁部と前記通気性の開閉部材の左側縁部の間に設けられた下側部材と、
前記下側部材の右側端部を折り返した右側端部下側折り返し部と、
前記右側案内部材に設けられ、前記右側案内部材の長手方向に沿うと共に前記右側案内部材の溝部に向かうように折り返された第１の折り返し部と、
この第１の折り返し部の端部を前記右側端部下側折り返し部の内方に、前記右側端部下側折り返し部の端部を前記第１の折り返し部の内方に、それぞれ臨ませ、
前記下側部材の左側端部を折り返した左側端部下側折り返し部と、
左側案内部材に設けられ、前記左側案内部材の長手方向に沿うと共に前記左側案内部材の溝部に向かうように折り返された第２の折り返し部と、
この第２の折り返し部の端部を前記左側端部下側折り返し部の内方に、前記左側端部下側折り返し部の端部を前記第２の折り返し部の内方に、それぞれ臨ませている
ことを特徴とする建物の出入口部開閉装置。
【請求項３】
通気性があって、巻き取り自在な柔軟性を有する帯状に形成され、建物の出入口部を開閉する通気性の開閉部材と、
前記建物の出入口部の上方に取り付けられ、前記通気性の開閉部材を付着し、前記通気性の開閉部材を巻き取る回転体と、
この回転体を回転させる回転手段と、
前記建物の内側から見て前記建物の出入口部の右側に取り付けられ、前記通気性の開閉部材の右側縁部を案内する溝部を有する右側案内部材と、
前記通気性の開閉部材の右側端部に設けられた略Ｕ字状の右側Ｕ字状部材と、
この右側Ｕ字状部材は、第１の右脚部と、第２の右脚部と、この第２の右脚部と前記第１の右脚部とを接続する右接続部とを有し、
右側案内部材に設けられ、前記右側案内部材の長手方向に沿うと共に前記右側案内部材の溝部に向かうように折り返された第１の折り返し部と、
前記建物の内側から見て前記建物の出入口部の左側に取り付けられ、前記通気性の開閉部材の左側縁部を案内する溝部を有する左側案内部材と、
前記通気性の開閉部材の左側端部に設けられた略Ｕ字状の左側Ｕ字状部材と、
この左側Ｕ字状部材は、第１の左脚部と、第２の左脚部と、この第２の左脚部と前記第１の左脚部とを接続する左接続部とを有し、
左側案内部材に設けられ、前記左側案内部材の長手方向に沿うと共に前記左側案内部材の溝部に向かうように折り返された第２の折り返し部と、
前記左側Ｕ字状部材の略Ｕ字状の開口部と前記右側Ｕ字状部材の略Ｕ字状の開口部とは対向し、左接続部及び右接続部が前記通気性の開閉部材に対して直交すると共に、第１の右脚部及び第１の左脚部が前記通気性の開閉部材に当接するように前記通気性の開閉部材に取り付けられ、
前記第１の折り返し部の端部を前記右側Ｕ字状部材の内方に、前記第２の右脚部の端部を前記第１の折り返し部の内方に、それぞれ臨ませ、
前記第２の折り返し部の端部を前記左側Ｕ字状部材の内方に、前記第２の左脚部の端部を前記第２の折り返し部の内方に、それぞれ臨ませている
ことを特徴とする建物の出入口部開閉装置。
【請求項４】
通気性があって、巻き取り自在な柔軟性を有する帯状に形成され、建物の出入口部を開閉する通気性の開閉部材と、
前記建物の出入口部の上方に取り付けられ、前記通気性の開閉部材を付着し、前記通気性の開閉部材を巻き取る回転体と、
この回転体を回転させる回転手段と、
前記建物の内側から見て前記建物の出入口部の右側に取り付けられ、前記通気性の開閉部材の右側縁部を案内する溝部を有する右側案内部材と、
前記建物の内側から見て前記建物の出入口部の左側に取り付けられ、前記通気性の開閉部材の左側縁部を案内する溝部を有する左側案内部材と、
前記通気性の開閉部材の右側端部に沿うと共に屋内側又は屋外側に向かって膨らんで厚みＴ1を有するように設けられた右側膨出部と、
前記建物の内側から見て、前記通気性の開閉部材の左側への移動時、前記右側膨出部が前記右側案内部材の溝部より離脱しないように、前記右側案内部材の溝部の前記建物の出入口部の側の開口部の隙間ｔ1を前記右側膨出部の厚みＴ1より小さく形成し、
前記通気性の開閉部材の左側端部に沿うと共に屋内側又は屋外側に向かって膨らんで厚みＴ2を有するように設けられた左側膨出部と、
前記建物の内側から見て、前記通気性の開閉部材の右側への移動時、前記左側膨出部が前記左側案内部材の溝部より離脱しないように、前記左側案内部材の溝部の前記建物の出入口部の側の開口部の隙間ｔ2を前記左側膨出部の厚みＴ2より小さく形成する
ことを特徴とする建物の出入口部開閉装置。
【請求項５】
建物の出入口部を開閉する非通気性の開閉部材と、
前記建物の外側から見て前記建物の出入口部の左側に取り付けられ、前記非通気性の開閉部材の左側縁部を案内する溝部を有する左側非通気性の案内部材と、
この左側非通気性の案内部材は、前記建物の出入口部の前記建物の外側から見て左側に取り付けられた左側縦支持部材の前記建物の外側に面する側に取り付けられ、
前記建物の外側から見て前記建物の出入口部の右側に取り付けられ、前記非通気性の開閉部材の右側縁部を案内する溝部を有する右側非通気性の案内部材と、
この右側非通気性の案内部材は、前記建物の出入口部の前記建物の外側から見て右側に取り付けられた右側縦支持部材の前記建物の外側に面する側に取り付けられ、
右側案内部材は、前記左側縦支持部材の前記建物の内側に面する側に取り付けられ、
左側案内部材は、前記右側縦支持部材の前記建物の内側に面する側に取り付けられている
ことを特徴とする請求項１〜４記載の建物の出入口部開閉装置。
【請求項６】
建物の出入口部を開閉する非通気性の開閉部材と、
前記建物の内側から見て前記建物の出入口部の左側に取り付けられ、前記非通気性の開閉部材の左側縁部を案内する溝部を有する左側非通気性の案内部材と、
この左側非通気性の案内部材は、前記建物の出入口部の前記建物の内側から見て左側に取り付けられた左側縦支持部材の前記建物の内側に面する側に取り付けられ、
前記建物の内側から見て前記建物の出入口部の右側に取り付けられ、前記非通気性の開閉部材の右側縁部を案内する溝部を有する右側非通気性の案内部材と、
この右側非通気性の案内部材は、前記建物の出入口部の前記建物の内側から見て右側に取り付けられた右側縦支持部材の前記建物の内側に面する側に取り付けられ、
この右側案内部材は、前記右側縦支持部材の前記建物の外側に面する側に取り付けられ、
前記左側案内部材は、前記左側縦支持部材の前記建物の外側に面する側に取り付けられれている
ことを特徴とする請求項１〜４記載の建物の出入口部開閉装置。
【請求項７】
建物の外と内を貫くように設けられた通路と、
回転手段は、前記通路内を通るように設けられ、前記建物の外に位置する回転体の回転を前記建物の内に伝達する内外伝達部材と、この内外伝達部材を回転させる部材とを有し、
前記部材は、作業者が手で持てる位置まで垂下している
ことを特徴とする請求項６記載の建物の出入口部開閉装置。
【発明の詳細な説明】
【技術分野】
【０００１】
本発明は、建物の出入口部開閉装置に係り、特に、建物の出入口部を開閉する通気性の開閉部材を備えた建物の出入口部開閉装置に関する。
【背景技術】
【０００２】
従来、建物の出入口部開閉装置として、シートシャッタがある（例えば、特許文献１参照。）。
【０００３】
【特許文献１】特開平１１−２１０３５３号公報
【０００４】
これは、工場、倉庫等の建物の出入口部を開閉する際に使用されるもので、シートに開口部を複数設け、この開口部を着脱自在な覆体で選択的に開閉するようにして、必要に応じて通気性を持たせるようにしている。
【０００５】
しかしながら、上述したシートシャッタに強い風圧がかかると、パイプが曲がって該シートシャッタがサイドフレームより離脱するという問題点が生じた。
【発明の開示】
【発明が解決しようとする課題】
【０００６】
本発明は、前記した問題点を除去するようにした建物の出入口部開閉装置を提供することを目的としている。
【課題を解決するための手段】
【０００７】
前記した目的を達成するための本発明の建物の出入口部開閉装置は、通気性があって、巻き取り自在な柔軟性を有する帯状に形成され、建物の出入口部を開閉する通気性の開閉部材と、前記建物の出入口部の上方に取り付けられ、前記通気性の開閉部材を付着し、前記通気性の開閉部材を巻き取る回転体と、この回転体を回転させる回転手段と、前記建物の内側から見て前記建物の出入口部の右側に取り付けられ、前記通気性の開閉部材の右側縁部を案内する溝部を有する右側案内部材と、前記建物の内側から見て前記建物の出入口部の左側に取り付けられ、前記通気性の開閉部材の左側縁部を案内する溝部を有する左側案内部材と、前記通気性の開閉部材の下側縁部と上側縁部との間に取り付けられ、前記通気性の開閉部材の右側縁部と前記通気性の開閉部材の左側縁部との間に設けられた中間部材と、この中間部材の右側端部を折り返した右側端部中間折り返し部と、右側案内部材に設けられ、前記右側案内部材の長手方向に沿うと共に前記右側案内部材の溝部に向かうように折り返された第１の折り返し部と、この第１の折り返し部の端部を前記右側端部中間折り返し部の内方に、前記右側端部中間折り返し部の端部を前記第１の折り返し部の内方に、それぞれ臨ませ、前記中間部材の左側端部を折り返した左側端部中間折り返し部と、左側案内部材に設けられ、前記左側案内部材の長手方向に沿うと共に前記左側案内部材の溝部に向かうように折り返された第２の折り返し部と、この第２の折り返し部の端部を前記左側端部中間折り返し部の内方に、前記左側端部中間折り返し部の端部を前記第２の折り返し部の内方に、それぞれ臨ませている。
【０００８】
また、請求項２記載の建物の出入口部開閉装置は、通気性があって、巻き取り自在な柔軟性を有する帯状に形成され、建物の出入口部を開閉する通気性の開閉部材と、前記建物の出入口部の上方に取り付けられ、前記通気性の開閉部材を付着し、前記通気性の開閉部材を巻き取る回転体と、この回転体を回転させる回転手段と、前記建物の内側から見て前記建物の出入口部の右側に取り付けられ、前記通気性の開閉部材の右側縁部を案内する溝部を有する右側案内部材と、前記建物の内側から見て前記建物の出入口部の左側に取り付けられ、前記通気性の開閉部材の左側縁部を案内する溝部を有する左側案内部材と、前記通気性の開閉部材の下側縁部に取り付けられ、前記通気性の開閉部材の右側縁部と前記通気性の開閉部材の左側縁部の間に設けられた下側部材と、前記下側部材の右側端部を折り返した右側端部下側折り返し部と、前記右側案内部材に設けられ、前記右側案内部材の長手方向に沿うと共に前記右側案内部材の溝部に向かうように折り返された第１の折り返し部と、この第１の折り返し部の端部を前記右側端部下側折り返し部の内方に、前記右側端部下側折り返し部の端部を前記第１の折り返し部の内方に、それぞれ臨ませ、前記下側部材の左側端部を折り返した左側端部下側折り返し部と、左側案内部材に設けられ、前記左側案内部材の長手方向に沿うと共に前記左側案内部材の溝部に向かうように折り返された第２の折り返し部と、この第２の折り返し部の端部を前記左側端部下側折り返し部の内方に、前記左側端部下側折り返し部の端部を前記第２の折り返し部の内方に、それぞれ臨ませている。
【０００９】
また、請求項３記載の建物の出入口部開閉装置は、通気性があって、巻き取り自在な柔軟性を有する帯状に形成され、建物の出入口部を開閉する通気性の開閉部材と、前記建物の出入口部の上方に取り付けられ、前記通気性の開閉部材を付着し、前記通気性の開閉部材を巻き取る回転体と、この回転体を回転させる回転手段と、前記建物の内側から見て前記建物の出入口部の右側に取り付けられ、前記通気性の開閉部材の右側縁部を案内する溝部を有する右側案内部材と、前記通気性の開閉部材の右側端部に設けられた略Ｕ字状の右側Ｕ字状部材と、この右側Ｕ字状部材は、第１の右脚部と、第２の右脚部と、この第２の右脚部と前記第１の右脚部とを接続する右接続部とを有し、右側案内部材に設けられ、前記右側案内部材の長手方向に沿うと共に前記右側案内部材の溝部に向かうように折り返された第１の折り返し部と、前記建物の内側から見て前記建物の出入口部の左側に取り付けられ、前記通気性の開閉部材の左側縁部を案内する溝部を有する左側案内部材と、前記通気性の開閉部材の左側端部に設けられた略Ｕ字状の左側Ｕ字状部材と、この左側Ｕ字状部材は、第１の左脚部と、第２の左脚部と、この第２の左脚部と前記第１の左脚部とを接続する左接続部とを有し、左側案内部材に設けられ、前記左側案内部材の長手方向に沿うと共に前記左側案内部材の溝部に向かうように折り返された第２の折り返し部と、前記左側Ｕ字状部材の略Ｕ字状の開口部と前記右側Ｕ字状部材の略Ｕ字状の開口部とは対向し、左接続部及び右接続部が前記通気性の開閉部材に対して直交すると共に、第１の右脚部及び第１の左脚部が前記通気性の開閉部材に当接するように前記通気性の開閉部材に取り付けられ、前記第１の折り返し部の端部を前記右側Ｕ字状部材の内方に、前記第２の右脚部の端部を前記第１の折り返し部の内方に、それぞれ臨ませ、前記第２の折り返し部の端部を前記左側Ｕ字状部材の内方に、前記第２の左脚部の端部を前記第２の折り返し部の内方に、それぞれ臨ませている。
【００１０】
また、請求項４記載の建物の出入口部開閉装置は、通気性があって、巻き取り自在な柔軟性を有する帯状に形成され、建物の出入口部を開閉する通気性の開閉部材と、前記建物の出入口部の上方に取り付けられ、前記通気性の開閉部材を付着し、前記通気性の開閉部材を巻き取る回転体と、この回転体を回転させる回転手段と、前記建物の内側から見て前記建物の出入口部の右側に取り付けられ、前記通気性の開閉部材の右側縁部を案内する溝部を有する右側案内部材と、前記建物の内側から見て前記建物の出入口部の左側に取り付けられ、前記通気性の開閉部材の左側縁部を案内する溝部を有する左側案内部材と、前記通気性の開閉部材の右側端部に沿うと共に屋内側又は屋外側に向かって膨らんで厚みＴ1を有するように設けられた右側膨出部と、前記建物の内側から見て、前記通気性の開閉部材の左側への移動時、前記右側膨出部が前記右側案内部材の溝部より離脱しないように、前記右側案内部材の溝部の前記建物の出入口部の側の開口部の隙間ｔ1 を前記右側膨出部の厚みＴ1より小さく形成し、前記通気性の開閉部材の左側端部に沿うと共に屋内側又は屋外側に向かって膨らんで厚みＴ2を有するように設けられた左側膨出部と、前記建物の内側から見て、前記通気性の開閉部材の右側への移動時、前記左側膨出部が前記左側案内部材の溝部より離脱しないように、前記左側案内部材の溝部の前記建物の出入口部の側の開口部の隙間ｔ2を前記左側膨出部の厚みＴ2より小さく形成する。
【００１１】
また、請求項５記載の建物の出入口部開閉装置は、請求項１〜４記載の建物の出入口部開閉装置において、建物の出入口部を開閉する非通気性の開閉部材と、前記建物の外側から見て前記建物の出入口部の左側に取り付けられ、前記非通気性の開閉部材の左側縁部を案内する溝部を有する左側非通気性の案内部材と、この左側非通気性の案内部材は、前記建物の出入口部の前記建物の外側から見て左側に取り付けられた左側縦支持部材の前記建物の外側に面する側に取り付けられ、前記建物の外側から見て前記建物の出入口部の右側に取り付けられ、前記非通気性の開閉部材の右側縁部を案内する溝部を有する右側非通気性の案内部材と、この右側非通気性の案内部材は、前記建物の出入口部の前記建物の外側から見て右側に取り付けられた右側縦支持部材の前記建物の外側に面する側に取り付けられ、右側案内部材は、前記左側縦支持部材の前記建物の内側に面する側に取り付けられ、左側案内部材は、前記右側縦支持部材の前記建物の内側に面する側に取り付けられている。
【００１２】
また、請求項６記載の建物の出入口部開閉装置は、請求項１〜４記載の建物の出入口部開閉装置において、建物の出入口部を開閉する非通気性の開閉部材と、
前記建物の内側から見て前記建物の出入口部の左側に取り付けられ、前記非通気性の開閉部材の左側縁部を案内する溝部を有する左側非通気性の案内部材と、この左側非通気性の案内部材は、前記建物の出入口部の前記建物の内側から見て左側に取り付けられた左側縦支持部材の前記建物の内側に面する側に取り付けられ、前記建物の内側から見て前記建物の出入口部の右側に取り付けられ、前記非通気性の開閉部材の右側縁部を案内する溝部を有する右側非通気性の案内部材と、この右側非通気性の案内部材は、前記建物の出入口部の前記建物の内側から見て右側に取り付けられた右側縦支持部材の前記建物の内側に面する側に取り付けられ、この右側案内部材は、前記右側縦支持部材の前記建物の外側に面する側に取り付けられ、前記左側案内部材は、前記左側縦支持部材の前記建物の外側に面する側に取り付けられれている。
【００１３】
また、請求項７記載の建物の出入口部開閉装置は、請求項６記載の建物の出入口部開閉装置において、建物の外と内を貫くように設けられた通路と、回転手段は、前記通路内を通るように設けられ、前記建物の外に位置する回転体の回転を前記建物の内に伝達する内外伝達部材と、この内外伝達部材を回転させる部材とを有し、前記部材は、作業者が手で持てる位置まで垂下している。
【発明の効果】
【００１４】
請求項１記載の建物の出入口部開閉装置によれば、通気性の開閉部材が風圧を受け、建物の内側から見て、通気性の開閉部材が左側へ移動しようとしても、右側端部中間折り返し部が第１の折り返し部に当たり、逆に、通気性の開閉部材が右側へ移動しようとしても、左側端部中間折り返し部が第２の折り返し部に当たって、右側案内部材及び左側案内部材から通気性の開閉部材が離脱するのを防ぐことができる。
【００１５】
請求項２記載の建物の出入口部開閉装置によれば、通気性の開閉部材が風圧を受け、建物の内側から見て、通気性の開閉部材が左側へ移動しようとしても、右側端部折り返し部が第１の折り返し部に当たり、逆に、通気性の開閉部材が右側へ移動しようとしても、左側端部折り返し部が第２の折り返し部に当たって、通気性の開閉部材が右側案内部材及び左側案内部材からの離脱を防ぐことができる。
【００１６】
請求項３記載の建物の出入口部開閉装置によれば、通気性の開閉部材が風圧を受け、建物の内側から見て、通気性の開閉部材が左側へ移動しようとしても、右側Ｕ字状部材が第１の折り返し部に当たり、逆に、通気性の開閉部材が右側へ移動しようとしても、左側Ｕ字状部材が第２の折り返し部に当たって、通気性の開閉部材が右側案内部材及び左側案内部材からの離脱を防ぐことができる。
【００１７】
請求項４記載の建物の出入口部開閉装置によれば、通気性の開閉部材が風圧を受け、建物の内側から見て、通気性の開閉部材が左側へ移動しようとしても、右側案内部材の溝部の建物の出入口部の側の開口部の隙間ｔ1を前記右側膨出部の  厚みＴ1より小さく形成しているため、右側膨出部の厚みＴ1が右側案内部材の溝部の建物の出入口部の側の開口部の隙間ｔ1に当たり、逆に、通気性の開閉部材  が右側へ移動しようとしても、左側膨出部の厚みＴ2が左側案内部材の溝部の建物の出入口部の側の開口部の隙間ｔ2に当たって、通気性の開閉部材が右側案内  部材及び左側案内部材からの離脱を防ぐことができる。
【００１８】
請求項５記載の建物の出入口部開閉装置によれば、前述した請求項１〜４記載の発明の効果に加え、建物の出入口部の左側縦支持部材の建物の外側に面する側に左側非通気性の案内部材を、建物の内側に面する側に右側案内部材を、それぞれ取り付け、建物の出入口部の右側縦支持部材の建物の外側に面する側に右側非通気性の案内部材を、建物の内側に面する側に左側案内部材を、それぞれ取り付けるため、左側縦支持部材は左側非通気性の案内部材と右側案内部材の支持部材であり、右側縦支持部材は右側非通気性の案内部材と左側案内部材の支持部材であり、部品の共用化を図って建物の外側に面する側に非通気性の開閉部材を、建物の内側に面する側に通気性の開閉部材を簡易に取り付けることができ、しかも、左側縦支持部材及び右側縦支持部材の強度を高めることができ、また、通気性の開閉部材により建物の出入口部を閉じて、建物内に空気を取り入れる際に、通気性の開閉部材の開口部の大きさを適宜選定することにより建物内に虫等が入らないようにすることができ、また、非通気性の開閉部材により建物の出入口部を閉じて、防犯効果を高めることができる。
【００１９】
請求項６記載の建物の出入口部開閉装置によれば、前述した請求項１〜４記載の発明の効果に加え、建物の出入口部の左側縦支持部材の建物の外側に面する側に右側案内部材を、建物の内側に面する側に左側非通気性の案内部材を、それぞれ取り付け、建物の出入口部の右側縦支持部材の建物の外側に面する側に左側案内部材を、建物の内側に面する側に右側非通気性の案内部材を、それぞれ取り付けるため、左側縦支持部材は左側非通気性の案内部材と右側案内部材の支持部材であり、右側縦支持部材は右側非通気性の案内部材と左側案内部材の支持部材であり、部品の共用化を図って建物の外側に面する側に非通気性の開閉部材を、建物の外内側に面する側に通気性の開閉部材を簡易に取り付けることができ、しかも、左側縦支持部材及び右側縦支持部材の強度を高めることができ、また、通気性の開閉部材により建物の出入口部を閉じて、建物内に空気を取り入れる際に、建物内に虫等が入らないようにすることができ、また、金属製の開閉部材により建物の出入口部を閉じて、防犯効果を高めることができる。
【００２０】
請求項７記載の建物の出入口部開閉装置によれば、前述した請求項６記載の発明の効果に加え、通気性の開閉部材が建物の外側に設置されても、建物の内側で部材を操作することにより、通気性の開閉部材を簡易に昇降させて建物の出入口部を開閉することができる。
【発明を実施するための最良の形態】
【００２１】
本発明の一実施例である建物の出入口部開閉装置を図面を参照して、説明する  。
図１乃至図５において、１は茶工場、食品工場等の建物の出入口部開閉装置で、建物の出入口部開閉装置１は、建物の出入口部２の建物の内側から見て（図１参照）、外側に建物の出入口部２を開閉する非通気性の開閉部材３、例えば、金属製のシャッターが、この非通気性の開閉部材３より内側に、通気性の開閉部材４が設けられている。通気性の開閉部材４は、通気性（例えば、開口部４ａ）があって、巻き取り自在な柔軟性を有する帯状に形成され、建物の出入口部２を開閉するようになっている。
【００２２】
５は建物の出入口部２の建物の外側から見て（図３参照）左側に取り付けられた左側非通気性の案内部材で、左側非通気性の案内部材５は、非通気性の開閉部材３の左側縁部を案内する溝部５ａを有する。この溝部５ａは、左側非通気性の案内部材５の長手方向を横断する断面形状が略ｕ字形状となっている。また、左側非通気性の案内部材５は、建物の外側から見て建物の出入口部２の左側に取り付けられた左側縦支持部材６の建物の外側に面する側に取り付けられている。
【００２３】
７は建物の出入口部２の建物の外側から見て右側に取り付けられた右側非通気性の案内部材で、右側非通気性の案内部材７は、非通気性の開閉部材３の右側縁部を案内する溝部７ａを有する。この溝部７ａは、左側非通気性の案内部材５の長手方向を横断する断面形状が略ｕ字形状となっている。また、右側非通気性の案内部材７は、建物の出入口部２の建物の外側から見て右側に取り付けられた右側縦支持部材８の建物の外側に面する側に取り付けられている。なお、９は非通気性の開閉部材３を収納する収納部である。
【００２４】
また、上述した通気性の開閉部材４の下側縁部には、通気性の開閉部材４の右側縁部と通気性の開閉部材４の左側縁部の間に設けられた下側部材２０が取り付けられている。下側部材２０は、例えば、通気性の開閉部材４の材質より比重が重い板状の部材で、例えば、幅１０００ミリメートル〜３６００ミリメートル、厚さ３ミリメートル〜６ミリメートルの鉄製のフラットバーである。２０ａは、下側部材２０の右側端部を折り返した右側端部下側折り返し部で、２０ｂは、下側部材２０の左側端部を折り返した左側端部下側折り返し部である。
また、通気性の開閉部材４の下側縁部と上側縁部との間には、通気性の開閉部材４の右側縁部と通気性の開閉部材４の左側縁部との間に設けられた中間部材２１が複数取り付けられている。中間部材２１は、例えば、通気性の開閉部材４の材質より比重が重い板状の部材で、例えば、幅１０００ミリメートル〜３６００ミリメートル、厚さ３ミリメートル〜６ミリメートルの鉄製のフラットバーである。２１ａは、中間部材２１の右側端部を折り返した右側端部中間折り返し部で、２１ｂは、中間部材２１の左側端部を折り返した左側端部中間折り返し部である。
そして、この複数の中間部材２１は、互いに間隔を設けて通気性の開閉部材４に取り付けられ、下側部材２０に平行となっている。この下側部材２０及び中間部材２１の平坦面は、回転体１０により巻き取られない状態の通気性の開閉部材４の帯状の平坦面に沿うように取り付けられている。
その結果、通気性の開閉部材４は、全体的に通気性を備えている分、軽量であるため、特に、通気性の開閉部材４それ自身に重みがなく降下しづらいが、通気性の開閉部材４の下側縁部に取り付けられた開閉部材４の材質より比重が重い板状の下側部材２０により、通気性の開閉部材４の降下をスムーズに行うことができ、しかも、板状の下側部材２０及び中間部材２１の平坦面は、後述する回転体１０により巻き取られない状態の通気性の開閉部材４の帯状の平坦面に沿うように取り付けられているため、通気性の開閉部材４の左側縁部及び右側縁部の厚みがそれ程大きくならず、右側案内部材１２と左側案内部材１３とのシール性も良好で、更に、通気性の開閉部材４が回転体１０に巻き取られる際、通気性の開閉部材４に取り付けられた下側部材２０及び中間部材２１は、回転体１０に馴染むように巻かれるため、巻き付け巻き戻しをスムーズに行うことができる。
【００２５】
また、１０は非通気性の開閉部材３より建物の内側に位置した通気性の開閉部材４を巻き取る回転体である。回転体１０は、建物の出入口部２の上方に取り付けられ、通気性の開閉部材４を付着し、例えば、通気性の開閉部材４の上側縁部を付着し、回転体１０を反時計回りに回転させて通気性の開閉部材４を巻き取り建物の出入口部２を開とし、逆に回転体１０を時計回りに回転させて通気性の開閉部材４を垂下させて閉とするものである。１１は、回転体１０を回転させる回転手段で、例えば、回転体１０と一体となって回転する滑車１１ａと、この滑車１１ａを回転させるチェーン１１ｂとを有し、チェーン１１ｂを操作することにより回転体１０を正逆に回転させるようにする。なお、回転手段１１は、滑車１１ａ、チェーン１１ｂによらず、図示しないモータによって回転体１０を直接正逆に回転させるようにしても良い。
【００２６】
１２は建物の内側から見て（図１参照）建物の出入口部２の右側に取り付けられた右側案内部材で、右側案内部材１２は、通気性の開閉部材４の右側縁部を案内する溝部１２ａを有する。Ａは、右側案内部材１２に設けられた第１の折り返し部で、第１の折り返し部Ａは、右側案内部材１２の長手方向に沿うと共に右側案内部材１２の溝部１２ａに向かうように折り返されている。第１の折り返し部Ａは、溝部１２ａの内部の側に折り曲げられ、溝部１２ａの開口部の一端でもある。溝部１２ａの開口部の他端Ｂは、建物の出入口部２の支持部の側に折り曲げられている。折り曲げられている分、右側案内部材１２の強度を向上させることができる。そして、第１の折り返し部Ａの端部を右側端部中間折り返し部２１ａの内方に、右側端部中間折り返し部２１ａの端部を第１の折り返し部Ａの内方に、それぞれ臨ませ、また、第２の折り返し部Ｃの端部を左側端部中間折り返し部２１ｂの内方に、左側端部中間折り返し部２１ｂの端部を第２の折り返し部Ｃの内方に、それぞれ臨ませている（図５参照）。また、第１の折り返し部Ａの端部を右側端部下側折り返し部２０ａの内方に、右側端部下側折り返し部２０ａの端部を第１の折り返し部Ａの溝部１２ａに、それぞれ臨ませ、また、第２の折り返し部Ｃの端部を左側端部下側折り返し部２０ｂの内方に、左側端部下側折り返し部２０ｂの端部を第２の折り返し部Ｃの内方に、それぞれ臨ませている（図４参照）。
また、右側案内部材１２は、左側縦支持部材６の建物の内側に面する側に取り付けられている。
【００２７】
１３は建物の内側から見て建物の出入口部２の左側に取り付けられた左側案内部材で、左側案内部材１３は、通気性の開閉部材４の左側縁部を案内する溝部１３ａを有する。Ｃは、左側案内部材１３に設けられた第２の折り返し部で、第２の折り返し部Ｃは、左側案内部材１３の長手方向に沿うと共に左側案内部材１３の溝部１３ａに向かうように折り返されている。第２の折り返し部Ｃは、溝部１３ａの内部の側に折り曲げられ、溝部１３ａの開口部の一端でもある。溝部１３ａの開口部の他端Ｄは、建物の出入口部２の支持部の側に折り曲げられている。折り曲げられている分、左側案内部材１３の強度を向上させることができる。また、左側案内部材１３は、右側縦支持部材８の建物の内側に面する側に取り付けられている。なお、溝部５ａ、溝部７ａ、溝部１２ａ、溝部１３ａの各開口部は建物の出入口部２に臨んでいる。
【００２８】
その結果、通気性の開閉部材４が風圧を受け、建物の内側から見て、通気性の開閉部材４が左側へ移動しようとしても、右側端部中間折り返し部２１ａが第１の折り返し部Ａに当たり、逆に、通気性の開閉部材４が右側へ移動しようとしても、左側端部中間折り返し部２１ｂが第２の折り返し部Ｃに当たって、右側案内部材１２及び左側案内部材１３から通気性の開閉部材４が離脱するのを防ぐことができる。
また、通気性の開閉部材４が風圧を受け、建物の内側から見て、通気性の開閉部材４が左側へ移動しようとしても、右側端部下側折り返し部２０ａが第１の折り返し部Ａに当たり、逆に、通気性の開閉部材４が右側へ移動しようとしても、左側端部下側折り返し部２０ｂが第２の折り返し部Ｃに当たって、通気性の開閉部材４が右側案内部材１２及び左側案内部材１３からの離脱を防ぐことができる。
また、建物の出入口部２の左側縦支持部材６の建物の外側に面する側に左側非通気性の案内部材５を、建物の内側に面する側に右側案内部材１２を、それぞれ取り付け、また、建物の出入口部２の右側縦支持部材８の建物の外側に面する側に右側非通気性の案内部材７を、建物の内側に面する側に左側案内部材１３を、それぞれ取り付けるため、左側縦支持部材６は左側非通気性の案内部材５と右側案内部材１２の支持部材であり、右側縦支持部材８は右側非通気性の案内部材７と左側案内部材１３の支持部材であり、部品の共用化を図って建物の外側に面する側に非通気性の開閉部材３を、建物の内側に面する側に通気性の開閉部材４を簡易に取り付けることができ、しかも、左側縦支持部材６及び右側縦支持部材８の強度を高めることができる。
また、非通気性の開閉部材３により建物の出入口部２を閉じて、建物内に空気を取り入れる際に、通気性の開閉部材４の開口部４ａの大きさを適宜選定することにより建物内に風、外の光等を入れ、虫等が入らないようにすることができ、また、金属製のシャッターにより建物の出入口部を閉じて、防犯効果を高めることができる。なお、特に、建物の出入口部開閉装置１は、非通気性の開閉部材３が建物の外側に位置して設置されている場合に、有効である。
【００２９】
上述した実施例においては、下側部材２０及び中間部材２１の両端部を折り返すようにしたが、本発明にあっては、これに限らず、例えば、図６及び図７に示すように、通気性の開閉部材４の右側端部に略Ｕ字状の右側Ｕ字状部材３０ａと
通気性の開閉部材４の左側端部に略Ｕ字状の左側Ｕ字状部材３０ｂとを設けるようにしても良い。なお、上述した実施例と同一部分に同一符号を付してその説明を一部省略する。
即ち、右側Ｕ字状部材３０ａは、第１の右脚部３０ａ1と、第２の右脚部３０ａ2と、この第２の右脚部３０ａ2と第１の右脚部３０ａ1とを接続する右接続部３０ａ3とを有する。また、左側Ｕ字状部材３０ｂは、第１の左脚部３０ｂ1と、第２の左脚部３０ｂ2と、この第２の左脚部３０ｂ2と第１の左脚部３０ｂ1とを接続する左接続部３０ｂ3とを有する。
そして、左側Ｕ字状部材３０ｂの略Ｕ字状の開口部と右側Ｕ字状部材３０ａの略Ｕ字状の開口部とは対向し、左接続部３０ｂ3及び右接続部３０ａ3が通気性の開閉部材４に対して直交すると共に、第１の右脚部３０ａ1及び第１の左脚部３０ｂ1が通気性の開閉部材４に当接するように通気性の開閉部材４に取り付けられている。そして、図７に示すように、第１の折り返し部Ａの端部を右側Ｕ字状部材３０ａの内方に、第２の右脚部３０ａ2の端部を第１の折り返し部Ａの内方に、それぞれ臨ませ、また、第２の折り返し部Ｃの端部を左側Ｕ字状部材３０ｂの内方に、第２の左脚部３０ｂ2の端部を第２の折り返し部Ｃの内方に、それぞれ臨ませている。
その結果、通気性の開閉部材４が風圧を受け、建物の内側から見て、通気性の開閉部材４が左側へ移動しようとしても、右側Ｕ字状部材３０ａが第１の折り返し部Ａに当たり、逆に、通気性の開閉部材４が右側へ移動しようとしても、左側Ｕ字状部材３０ｂが第２の折り返し部Ｃに当たって、通気性の開閉部材４が右側案内部材１２及び左側案内部材１３からの離脱を防ぐことができる。
【００３０】
上述した実施例においては、通気性の開閉部材４の右側端部に略Ｕ字状の右側Ｕ字状部材３０ａを、通気性の開閉部材４の左側端部に略Ｕ字状の左側Ｕ字状部材３０ｂとを設けたが、本発明にあっては、これに限らず、例えば、図８及び図９に示すように、通気性の開閉部材４の右側端部に右側膨出部４０ａ、通気性の開閉部材４の左側端部に左側膨出部４０ｂとを設けるようにしても良い。なお、上述した実施例と同一部分に同一符号を付してその説明を一部省略する。
即ち、右側膨出部４０ａは、通気性の開閉部材４の右側端部に沿うと共に屋内側（又は屋外側）に向かって膨らんで厚みＴ1を有する。左側膨出部４０ｂは、通気性の開閉部材４の左側端部に沿うと共に屋内側（又は屋外側）に向かって膨らんで厚みＴ2を有する。そして、建物の内側から見て、通気性の開閉部材４の左側への移動時、右側膨出部４０ａが右側案内部材１２の溝部１２ａより離脱しないように、右側案内部材１２の溝部１２ａの建物の出入口部の側の開口部の隙間ｔ1を右側膨出部４０ａの厚みＴ1より小さく形成し、同様に、建物の内側から見て、通気性の開閉部材４の右側への移動時、左側膨出部４０ｂが左側案内部材１３の溝部１３ａより離脱しないように、左側案内部材１３の溝部１３ａの建物の出入口部の側の開口部の隙間ｔ2を左側膨出部４０ｂの厚みＴ2より小さく形成するようにしてある。
その結果、通気性の開閉部材４が風圧を受け、建物の内側から見て、通気性の開閉部材４が左側へ移動しようとしても、右側案内部材１２の溝部１２ａの建物の出入口部の側の開口部の隙間ｔ1を右側膨出部４０ａの厚みＴ1より小さく形成しているため、右側膨出部４０ａの厚みＴ1が右側案内部材１２の溝部１２ａの建物の出入口部の側の開口部の隙間ｔ1に当たり、逆に、通気性の開閉部材４が右側へ移動しようとしても、左側膨出部の厚みＴ2が左側案内部材１３の溝部１３ａの建物の出入口部の側の開口部の隙間ｔ2に当たって、通気性の開閉部材４が右側案内部材１２及び左側案内部材１３からの離脱を防ぐことができる。
【００３１】
また、上述した実施例においては、通気性の開閉部材４が非通気性の開閉部材３より建物の内側に位置した建物の出入口部開閉装置１について述べたが、本願発明にあってはこれに限らず、逆の構成、つまり、通気性の開閉部材４が非通気性の開閉部材３より建物の外側に位置した建物の出入口部開閉装置１についても同様に適用することができる（図１０乃至図１２参照）。なお、上述した実施例と同一部分に同一符号を付して、一部その説明を省略している。
【００３２】
非通気性の開閉部材３は、前述同様、建物の出入口部２を開閉する、例えば、金属製のシャッターである。
建物の内側から見て、建物の出入口部２の左側に左側非通気性の案内部材５が取り付けられ、左側非通気性の案内部材５は、非通気性の開閉部材５の左側縁部を案内する溝部５ａを有する。この左側非通気性の案内部材５は、建物の出入口部２の建物の内側から見て（図１２参照）左側に取り付けられた左側縦支持部材６の建物の内側に面する側に取り付けられている。
また、同様に、建物の内側から見て、建物の出入口部２の右側に右側非通気性の案内部材７が取り付けられ、右側非通気性の案内部材７は、非通気性の開閉部材５の右側縁部を案内する溝部７ａを有する。この右側非通気性の案内部材７は、建物の出入口部２の建物の内側から見て（図１２参照）右側に取り付けられた右側縦支持部材８の建物の内側に面する側に取り付けられている。建物の内側から見て前記建物の出入口部の右側に取り付けられる右側案内部材１２は、右側縦支持部材８の建物の外側に面する側に取り付けられ、建物の内側から見て前記建物の出入口部の左側に取り付けられる左側案内部材１３は、左側縦支持部材６の建物の外側に面する側に取り付けられている。
【００３３】
４は、建物の出入口部２を開閉する通気性の開閉部材で、通気性の開閉部材４は、非通気性の開閉部材３より建物の外側に位置し、全体的に通気性となるように多数の開口部４ａを備えると共に、巻き取り自在な柔軟性を有する帯状に形成されている。
【００３４】
また、１０は、通気性の開閉部材を巻き取る回転体で、回転体１０は、建物の出入口部２の上方に取り付けられ、通気性の開閉部材４の上側縁部を付着している。３０は、建物の外と内を貫くように設けられた通路である。１１は回転手段で、回転手段１１は、通路３０内を通るように設けられ、建物の外に位置する回転体１０の回転を建物の内に伝達する内外伝達部材１１ｃと、この内外伝達部材１１ｃを回転させる部材１１ｄとを有し、部材１１ｄは、作業者が手で持てる位置まで垂下している。なお、内外伝達部材１１ｃは、例えば、内外伝達部材１１ｃの一端に回転体１０の一端に設けた第１の傘歯車１０ａに直角に動力が伝達されるように第１の傘歯車１０ａに螺合する第２の傘歯車１１ｃ１を、他端に滑車１１ｃ２を設け、滑車１１ｃ２に部材１１ｄ（例えば、チェーン）を設けている
。
その結果、通気性の開閉部材４が建物の外側に設置されても、建物の内側で部材１１ｄを操作することにより、通気性の開閉部材４を簡易に昇降させて建物の出入口部２を開閉することができる。
なお、特に、図１０乃至図１２記載の建物の出入口部開閉装置１は、非通気性の開閉部材３が建物の内側に位置して設置されている場合に、有効である。
【図面の簡単な説明】
【００３５】
【図１】図１は、本発明の一実施例の出入口部開閉装置を建物の内側より見た概略斜視図である。
【図２】図２は、図１の部分を拡大して示す一部拡大正面図である。
【図３】図３は、図１の出入口部開閉装置を建物の外側より見た概略斜視図である。
【図４】図４は、図３の４−４線による概略的断面図である。
【図５】図５は、図３の５−５線による概略的断面図である。
【図６】図６は、図１と異なる他の実施例の出入口部開閉装置を建物の外側より見た概略斜視図である。
【図７】図７は、図６の７−７線による概略的断面図である。
【図８】図８は、図６と異なる他の実施例の出入口部開閉装置を建物の外側より見た概略斜視図である。
【図９】図９は、図８の９−９線による概略的断面図である。
【図１０】図１０は、図１と異なる他の実施例の出入口部開閉装置を建物の外側より見た概略斜視図である。
【図１１】図１１は、図１０の１１−１１線による概略的断面図である。
【図１２】図１２は、図１０の１２−１２線による概略的断面図である。
【符号の説明】
【００３６】
１          出入口部開閉装置
２          建物の出入口部
４          通気性の開閉部材
１０          回転体
２０          下側部材
２１          中間部材
【図１】
2006028940.tif 000003
【図２】
2006028940.tif 000004
【図３】
2006028940.tif 000005
【図４】
2006028940.tif 000006
【図５】
2006028940.tif 000007
【図６】
2006028940.tif 000008
【図７】
2006028940.tif 000009
【図８】
2006028940.tif 000010
【図９】
2006028940.tif 000011
【図１０】
2006028940.tif 000012
【図１１】
2006028940.tif 000013
【図１２】
2006028940.tif 000014